(57)【特許請求の範囲】
【請求項１】
上フィルムと下フィルムとを含む包装袋であって、
前記上フィルムの一部分が折れ返り、当該部分どうしが易剥離性を有するイージーピールテープを挟んで対向している折込部と、
前記上フィルムの残りの部分と前記下フィルムとがそれぞれの周辺部においてシールされた本体部とを備え、
前記折込部は、
前記イージーピールテープの両面が、それぞれ前記上フィルムとシールされた、両面シール部と、
前記イージーピールテープの一面が、前記上フィルムとシールされた、片面シール部と、
前記両面シール部より、前記折込部の先端側に形成された通蒸穴とを含み、
前記両面シール部の、少なくとも前記通蒸穴の近傍において、前記イージーピールテープの前記一面と前記上フィルムとのシール強度が、前記イージーピールテープの他面と前記上フィルムとのシール強度より強く、
前記片面シール部は、少なくとも前記通蒸穴の近傍において、前記両面シール部に接続する、包装袋。
【請求項２】
上フィルムと下フィルムとを重ねて形成される包装袋の製造方法であって、
前記上フィルムと易剥離性を有するイージーピールテープの一面とをシールする仮シール工程と、
前記イージーピールテープを、前記上フィルムで挟み、前記上フィルムと前記イージーピールテープの両面とをシールして、折込部を形成する本シール工程と、
前記折込部の先端部に通蒸穴を形成する貫通工程とを含み、
前記仮シール工程によりシールされる仮シール領域は、少なくとも前記通蒸穴の近傍において、前記本シール工程によりシールされる本シール領域と重複する、包装袋の製造方法。
【発明の詳細な説明】
【技術分野】
【０００１】
本発明は、食材や調味液などの食品等を封入し電子レンジ等により加熱調理するための電子レンジ調理用包装袋に関する。
【背景技術】
【０００２】
従来、食品等の内容物を予め内部に封入した状態で電子レンジによる加熱が可能な包装袋が提案されている。このような包装袋の一例を図６に示す。図６は、従来の包装袋１の平面図である。図７は、図１のＢ−Ｂ´線に沿った部分の断面を模式的に示す図である。包装袋１は、上フィルム２と下フィルム３とを重ね合わせ、周辺部がシールされて形成されている。上フィルム２には、包装袋１の幅全体にわたって上フィルム２が折り返され、易剥離性を有する帯状のイージーピールテープ４を挟んだ折込部５が設けられている。折込部５において、イージーピールテープ４の両面の、包装袋１の幅全体にわたる線状の領域（本シール領域８）が、上フィルム２とシールされている。折込部５の先端寄りの部分に通蒸穴６が設けられている。
【０００３】
また、包装袋１の製造時において、イージーピールテープ４の位置決めのため、本シール領域８のシール処理の前に、イージーピールテープ４の一面の、包装袋１の幅全体にわたる線状の領域（仮シール領域７）が、上フィルム２にシールされる。
【０００４】
包装袋１を加熱すると、図示しない内容物に含まれる水分が気化し、包装袋１の内圧が高くなるため、折込部５の、仮シール領域７においてシールされたのとは反対側の、上フィルム２の本シール領域８において、上フィルム２がイージーピールテープ４から剥離し、通蒸穴６から蒸気が抜ける。図８の（ａ）は、この様子を示す包装袋１の断面図である。これにより、内容物が適度に蒸され、調理が行われる。
【先行技術文献】
【特許文献】
【０００５】
【特許文献１】国際公開第２００５／００９８６９号
【発明の概要】
【発明が解決しようとする課題】
【０００６】
包装袋１を加熱したとき、かりに、折込部５の、仮シール領域７においてシールされた側の、本シール領域８において、上フィルム２がイージーピールテープ４から剥離した場合、イージーピールテープ４が、上フィルム２の通蒸穴６をふさぎ、蒸気が抜けるのを妨げる。図８の（ｂ）は、この様子を示す包装袋１の断面図である。この場合、包装袋１の内圧を減ずることができず、包装袋１が破裂するおそれがある。
【０００７】
本発明は、加熱時に通蒸穴から蒸気が抜ける構造の包装袋において、蒸気が抜ける確実性を高めることを目的とする。
【課題を解決するための手段】
【０００８】
本発明は、上フィルムと下フィルムとを含む包装袋であって、上フィルムの一部分が折れ返り、当該部分どうしが易剥離性を有するイージーピールテープを挟んで対向している折込部と、上フィルムの残りの部分と下フィルムとがそれぞれの周辺部においてシールされた本体部とを備え、折込部は、イージーピールテープの両面が、それぞれ上フィルムとシールされた、両面シール部と、イージーピールテープの一面が、上フィルムとシールされた、片面シール部と、両面シール部より、折込部の先端側に形成された通蒸穴とを含み、両面シール部の、少なくとも通蒸穴の近傍において、イージーピールテープの一面と上フィルムとのシール強度が、イージーピールテープの他面と上フィルムとのシール強度より強い、包装袋である。
【０００９】
また、片面シール部は、少なくとも通蒸穴の近傍において、両面シール部に接続する。
【００１０】
本発明は、また、上フィルムと下フィルムとを重ねて形成される包装袋の製造方法であって、上フィルムと易剥離性を有するイージーピールテープの一面とをシールする仮シール工程と、イージーピールテープを、上フィルムで挟み、上フィルムとイージーピールテープの両面とをシールして、折込部を形成する本シール工程と、折込部の先端部に通蒸穴を形成する貫通工程とを含み、仮シール工程によりシールされる仮シール領域は、少なくとも通蒸穴の近傍において、本シール工程によりシールされる本シール領域と重複する、包装袋の製造方法である。
【発明の効果】
【００１１】
本発明によれば、通蒸穴から蒸気が抜ける構造の包装袋において、加熱時にイージーピールフィルムが通蒸穴をふさぐことを防止し、蒸気が抜ける確実性を高めることができる。
【図面の簡単な説明】
【００１２】
【図１】本発明の実施形態に係る包装袋の平面図
【図２】本発明の実施形態に係る包装袋の断面模式図
【図３】本発明の実施形態に係る包装袋の断面模式図
【図４】本発明の実施形態に係る包装袋の平面
【図５】本発明の実施形態に係る包装袋の平面
【図６】従来の包装袋の平面図
【図７】従来の包装袋の断面模式図
【図８】従来の包装袋の断面模式図
【発明を実施するための形態】
【００１３】
（実施形態）
本発明の実施形態を図面を参照して説明する。
【００１４】
まず、本実施形態に係る包装袋１００の構成を説明する。図１は、本発明の実施の形態の包装袋１００の平面図である。図２は、図１のＡ−Ａ´線に沿った部分の断面を模式的に示す図である。包装袋１００は、上フィルム１０２と下フィルム１０３とを重ね合わせ、重なり合う部分の周辺部がシールされて形成されている。上フィルム１０２の端部を除く一部分は、包装袋１００の幅全体にわたって包装袋１００の外方に折り返され、互いに対向している。この部分には、易剥離性を有する帯状のイージーピールテープ１０４が挟まれてシールされて、折込部１０５が形成されている。折込部１０５には、イージーピールテープ１０４の両面が、上フィルム１０２とシールされた両面シール部１１１（図１において右下がりの斜線で示す箇所）と、イージーピールテープ１０４の一面が上フィルム１０２とシールされた片面シール部１１２（図１において右上がりの斜線で示す箇所）とが形成されている。また、折込部１０５には、両面シール部１１１より折込部１０５の先端側を貫通して形成された通蒸穴１０６が設けられている。
【００１５】
片面シール部１１２および両面シール部１１１の形成方法を図２を参照して説明する。
包装袋１００の製造時において、イージーピールテープ１０４の位置決めのため、まず、上フィルム１０２の折込部１０５を構成する領域内の、包装袋１００の幅全体にわたる所定の仮シール領域１２２（図１において破線で囲まれた領域）において、上フィルム１０２とイージーピールテープ１０４の一面とをシール処理する。これを仮シール処理と呼ぶ。
【００１６】
その後、イージーピールテープ１０４を、上フィルム１０２で挟んだ状態で、上フィルム１０２がイージーピールテープ１０４を挟む領域内の、包装袋１００の幅全体にわたる所定の本シール領域１２１（図１において実線で囲まれた領域）を、シール処理することにより、上フィルム１０２と、イージーピールテープ１０４の両面とがシールされる。これを本シール処理と呼ぶ。この本シール処理によって、折込部１０５における包装袋１００の気密が確保される。
【００１７】
図２に示すように、仮シール領域１２２は、本シール領域１２１からみて、通蒸穴１０６の反対側の領域である。また、仮シール領域１２２は、通蒸穴１０６の近傍において、本シール領域１２１に接続して、通蒸穴１０６側の端縁まで本シール領域１２１と重複している。仮シール領域１２２のうち、本シール領域１２１に重複しない領域が、片面シール部１１２を構成する。また、本シール領域１２１が、両面シール部１１１を構成する。なお、両面シール部１１１および片面シール部１１２のシール処理においては、上フィルム１０２のシーラント層がイージーピールテープ１０４に溶着される。図２においては、この溶着箇所を分かりやすく示すため、便宜的に溶着領域を矩形で示してある。
【００１８】
包装袋１００を加熱すると、図示しない内容物に含まれる水分が気化し、包装袋１００の内圧が高くなる。両面シール部１１１の、本シール領域１２１と仮シール領域１２２とが重複する領域においては、イージーピールテープ１０４の一面は、仮シール処理および本シール処理により、２回シール処理されているため、本シール処理のみが行われたイージーピールテープ１０４の他面に比べて、シール強度が強い。したがって、上フィルム１０２の両面シール部１１１において、本シール処理のみが行われた上フィルム１０２がイージーピールテープ１０４が剥離する。これにより、通蒸穴１０６から蒸気が抜ける。図３は、この様子を示す包装袋１００の断面図である。
【００１９】
このように本実施形態においては、両面シール部１１１において、イージーピールテープ１０４の一面と、上フィルム１０２との接着強度を、イージーピールテープ１０４の他面と上フィルム１０２との接着強度より、仮シール処理によって、容易に強化することができる。これにより、包装袋１００の加熱時に、両面シール部１１１において仮シール処理をしていない側の上フィルム１０２とイージーピールテープ１０４との剥離が確実に行われ、通蒸穴１０６から確実に蒸気が抜けるようにすることができる。
【００２０】
以上においては、仮シール領域１２２は、本シール領域１２１からみて、通蒸穴１０６の反対側の領域であり、通蒸穴１０６の近傍において、本シール領域１２１に接続して、通蒸穴１０６側の端縁まで本シール領域１２１と重複するものとした。しかし、本発明は、これに限定されず多様に変形して実施可能である。
【００２１】
（変形例１）
本発明の変形例に係る包装袋２００の平面図を図４に示す。包装袋２００は、包装袋１００において、仮シール領域１２２が、本シール領域１２１の折込部１０５先端側の端部の一部を除くほぼ全体を覆うようにしたものである。
【００２２】
（変形例２）
本発明の他の変形例に係る包装袋の平面図を図５に示す。包装袋３００は、包装容器１００において、仮シール領域１２２が、２つの分離した領域であり、１つの領域は本シール領域１２１からみて通蒸穴１０６の反対側の位置の線状の領域であり、もう１つの領域は、本シール領域１２１と一致する領域であるようにしたものである。
【００２３】
これらの変形例においても、包装袋の加熱時に、両面シール部１１１において仮シール処理をしていない側の上フィルム１０２とイージーピールテープ１０４との剥離が確実に行われ、通蒸穴１０６から確実に蒸気が抜けるようにすることができる。
【産業上の利用可能性】
【００２４】
本発明は、内容物を封入し密封可能な電子レンジ調理用包装袋に有用であり、とくに、加熱により食材等から生じる蒸気による包装体の破損を防止しつつ加熱調理することが可能な包装用袋に有用である。
【符号の説明】
【００２５】
１００、２００、３００    包装袋
１０２    上フィルム
１０３    下フィルム
１０４    イージーピールテープ
１０５    折込部
１０６    通蒸穴
１１１    両面シール部
１１２    片面シール部
１２１    本シール領域
１２２    仮シール領域
【図１】
0006024093.tif 000002
【図２】
0006024093.tif 000003
【図３】
0006024093.tif 000004
【図４】
0006024093.tif 000005
【図５】
0006024093.tif 000006
【図６】
0006024093.tif 000007
【図７】
0006024093.tif 000008
【図８】
0006024093.tif 000009